(57)【要約】      （修正有）【課題】目線より高い位置にある鴨居、カーテンレール、本棚又は収納具等と壁との間の隙間に容易に固定することができ、狭い居室でも容易に御札を祀れる御札立を提供する。【解決手段】台座２２と、前記台座２２の下面に配設され、鴨居１４に係合する一対の脚部２４と、前記台座２２の上面に配設され、御札１８を立て掛けるための係止用突起部２６とを備え、前記脚部２４は前面が下方に向かって徐々に後面側に近接するテーパー面３０を設ける。【選択図】図１
0003167507.tif 000002
【実用新案登録請求の範囲】
【請求項１】
台座と、前記台座の下面に配設され、鴨居に係合する一対の脚部と、前記台座の上面に配設され、御札を立て掛けるための係止用突起部とを備え、前記脚部は前面が下方に向かって徐々に後面側に近接するテーパー面を有することを特徴とする御札立。
【請求項２】
請求項１に記載の御札立において、
前記台座の背面側に立設される壁かけ用固定板を備え、前記固定板には取付孔が形成されることを特徴とする御札立。
【請求項３】
請求項１又は２に記載の御札立において、
前記脚部の少なくとも一方は、破魔矢を挿通させるための挿通口を備え、前記挿通口が前記台座の中央下方向に向かって傾斜するように形成されることを特徴とする御札立。
【請求項４】
請求項１〜３のいずれか１項に記載の御札立において、
前記脚部は、前記台座に脱着可能に嵌合されることを特徴とする御札立。
【考案の詳細な説明】
【技術分野】
【０００１】
本考案は、神社・寺院仏閣等で配布される御札を家庭内等で祀る御札立に関する。
【背景技術】
【０００２】
従来は、入手した御札を神棚や仏壇に立てかけることにより御札を祀っている。しかし、アパートやマンション等の狭い住環境において、居室内に神棚や仏壇等を設置するスペースが無い場合が多く見受けられる。そのような場合には、御札の置き場所に困るという問題が生じており、御札を本棚や収納具の上に立てかけるなどの不適切な対応が見受けられた。
【０００３】
神棚や仏壇等を置くスペースが無いという問題点を解決するために、ミニチュアの神棚や御札を保持する手段を有する御札立が提案されている（特許文献１，２）。特許文献１に記載の考案は、縦長状のケース本体と、御札の上下端部をそれぞれ支持する様に固定する上下ストッパー板と、ミニチュアのしめ縄幕とから成る御札用神棚である。また、特許文献２に記載の考案は、台座の前後に御札を保持する保持板を設けたものである。
【０００４】
また、御札を収納すると同時にそのまま壁に飾ることができる御札用額が提案されている（特許文献３）。特許文献３に記載の考案は、御札を横に３札並べて額の中に飾り、壁に掛けられるように構成したものである。
【先行技術文献】
【特許文献】
【０００５】
【特許文献１】特開２００５−７４１４３号公報
【特許文献２】実用新案登録第３０６９４０９号公報
【特許文献３】特開２０００−２７２２９８号公報
【考案の概要】
【考案が解決しようとする課題】
【０００６】
特許文献１に記載の考案は、御札を収納して支持する構成を開示しているだけであり、構造が複雑である。
【０００７】
特許文献２に記載の考案は、御札の出し入れが煩雑であり、かつ神棚や仏壇等の上に置くことを想定しているためにスペースに限りのある居室には不向きであるという問題がある。
【０００８】
さらに、御札を祀るときには、目線より高い位置に置くことが良いとされているが、特許文献１及び特許文献２に記載の考案は、目線より高い位置に設置することについて、何ら対策が採られていない。
【０００９】
特許文献３に記載の考案は、壁に掛ける部位が大きく、壁にある程度のスペースを必要とする。また、額縁を深底に形成し、本体の上面を覆う透明板や御札を係止する係止板、係止板の裏面を支える裏板など構造が複雑となるという問題がある。
【００１０】
本考案の目的は上記のような問題点を解消することにあり、目線より高い位置にある鴨居、カーテンレール、本棚又は収納具等と壁との間の隙間に容易に固定することができ、狭い居室でも容易に御札を祀れる御札立を提供することを目的とする。また、単純な構造で容易に成形できる御札立を提供することを目的とする。さらに、御札と共に、容易に破魔矢を祀ることのできる御札立を目的とする。またさらに、足を取り外した状態でも容易に壁に固定できることを目的とする。
【課題を解決するための手段】
【００１１】
前記の目的を達成するために、本考案に係る御札立は、台座と、前記台座の下面に配設され、鴨居に係合する脚部と、前記台座の上面に配設され、御札を立てかけるための係止用突起部とを備え、前記脚部は前面が下方に向かって徐々に後面側に近接するテーパー面を有することを特徴とする。
【００１２】
また、前記台座の背面側に立設される壁かけ用固定板を備え、前記固定板には取付孔が形成されることを特徴とする。
【００１３】
さらに、前記脚部の少なくとも一方は、破魔矢を挿通させるための挿通口を備え、前記挿通口が前記台座の中央下方向に向かって傾斜するように形成されることを特徴とする。
【００１４】
そして、前記脚部は、前記台座部に脱着可能に嵌合されることを特徴とする。
【考案の効果】
【００１５】
本考案は、目線より高い位置にある鴨居、カーテンレール、本棚又は収納具等と壁との間の隙間に容易に固定することができ、狭い居室でも容易に御札を祀ることが可能となる。そして、台座の上面に設けられた係止用突起により、御札が滑り落ちることなく台座の上面に保持され、単純な構造で容易に成形できる御札立を提供することが可能となる。また足を取り外した状態でも容易に壁に固定することができる。
【００１６】
また、台座の背面側に立設された壁かけ用固定板に形成された取付孔を通して釘やフックなどにより、容易に壁に固定することが可能となる。
【００１７】
さらに、脚部に設けられた挿挿口に破魔矢を挿入することにより、容易に破魔矢を祀ることができる。
【図面の簡単な説明】
【００１８】
【図１】本考案における実施形態の御札立を鴨居に取り付けた状態を示す斜視図である。
【図２】上記御札立の斜視図である。
【図３】上記御札立の正面図である。
【図４】上記御札立の側面図である。
【図５】上記御札立の変形例の斜視図である。
【図６】上記御札立の変形例の斜視図である。
【図７】上記御札立の変形例の斜視図である。
【考案を実施するための形態】
【００１９】
以下に、本考案の実施形態に係る御札立を図面に基づいて詳しく説明する。
【００２０】
図１は、本考案の実施形態に係る御札立１０を鴨居１４に取り付け、御札１８を立て掛けるとともに、破魔矢２０を装着した斜視図を示している。また、図２は、御札立１０の斜視図を示している。
図２に示すように、御札立１０は、台座２２と、台座２２の下面に配設された一対の脚部２４と、台座２２の上面の長手方向に平行に御札を立てかけるための係止用突起部２６とを備え、脚部２４は、鴨居１４と壁１２との間の隙間１６に安定した状態で挿入されるように、前面２８が下方に向かって徐々に後面側に近接するテーパー面３０を有する。
【００２１】
また、図２、図３及び図４に示すように、台座２２の壁１２側の背面側には、壁かけ用固定板３２が立設され、この壁かけ用固定板３２には、取付孔３４が形成されている。
【００２２】
さらに、図３及び図４に示すように、一対の脚部２４の少なくとも一方は、破魔矢を挿通させるための挿通口３６を有し、挿通口３６は、台座の中央下方向に向かって傾斜するように形成されている。脚部２４は、脚部２４の上面に形成された凸部３８ａと、台座２２の下面に形成された凹部３８ｂとからなる蟻溝構造となっており、脚部２４を台座２２の下面部に脱着可能に嵌合させることができる。
【００２３】
台座２２、脚部２４、係止用突起部２６、壁かけ用固定板３２は、木材、金属（ステンレス、鉄、アルミニウム、銅、金、銀、合金など）、硬質プラスチックなどを使用して成形することができる。
【００２４】
御札立１０の製造に際して、まず、木製の台座２２及び壁かけ用固定板３２を木材から切り出す。次いで、壁かけ用固定板３２に取付孔３４を穿孔する。ここで、取付孔３４は、壁かけ用固定板３２に複数個所穿孔してもよい。
【００２５】
ついで、木材を加工して三角柱状に係止用突起部２６を形成する。係止用突起部２６は、四角柱や多角柱でもよい。あるいは、複数のピンまたは留め金等を台座に挿入したり、台座に凹部を設けて柱状物を挿入したりして係止用突起部として用いることができる。
【００２６】
さらに、木材から略三角形に脚部２４を切り出し、脚部２４の前面２８が下方に向かって徐々に後面側に近接するように、テーパー面３０を形成する。その後、脚部２４の中央上部に破魔矢２０を挿通できる大きさの挿通口３６を設ける。このとき、挿通口３６は、台座２２の中央下方向に傾斜するように形成する。
【００２７】
脚部２４の上面に凸部３８ａを形成し、台座２２の下面に凹部３８ｂを形成し、台座２２と脚部２４とを脱着可能に嵌合する。その後、台座２２の上面に、壁かけ用固定板３２及び係止用突起部２６を接着剤または釘等でそれぞれ固着する。この時、台座２２の上面に凹部を設け、壁かけ用固定板３２及び係止用突起部２６の下面に凸部を形成してそれぞれを嵌合することもできる。
【００２８】
以上のようにして製造された御札立１０は、図１に示すように、脚部２４を鴨居１４と壁１２との間の隙間１６に挿入することで、目線より高い位置にある壁１２の一部に固定することができる。この場合、脚部２４の前面２８には、テーパー面３０が形成されているため、御札立１０を安定した状態で壁１２に固定することができる。そして、固定された状態の御札立１０の台座２２の上面に、下端部を係止用突起部２６に係止させて御札１８を立て掛ける。また、いずれか一方の脚部２４に形成された挿通口３６に、破魔矢２０を挿通させることで、破魔矢２０を御札立１０に装着することができる。
なお、鴨居１４のない居室の壁１２に御札立１０を取り付ける場合には、台座２２の背面側に立設された壁かけ用固定板３２の取付孔３４に、釘やフック等を係合させることにより、御札立１０を壁１２に掛けることができる。
【００２９】
また、図５に示すように、本実施形態においては、台座２２の背面側に、壁かけ用固定板３２を複数立設することもでき、さらに、台座２２の上面に複数の係止用突起部２６を設けることもできる。
【００３０】
そしてさらに、図６に示すように、壁かけ用固定板３５を台座２２の背面に貼り付け、複数の取付孔３４を設けることもできる。また、台座２２の上面に神社の玉垣をイメージした装飾用の玉垣４０を設けることもできる。また、図７に示すように、係止用突起部２６を複数のピン又は柱状物で形成することもできる。
【００３１】
なお、本考案は上述した実施の形態に限定されるものではなく、本考案の趣旨を逸脱しない範囲で変更することが可能である。
【符号の説明】
【００３２】
１０  御札立
１２  壁
１４  鴨居
１６  隙間
１８  御札
２０  破魔矢
２２  台座
２４  脚部
２６  係止用突起部
２８  前面
３０  テーパー面
３２、３５  壁かけ用固定板
３４  取付孔
３６  挿通口
３８ａ  凸部
３８ｂ  凹部
４０  玉垣
【図１】
0003167507.tif 000003
【図２】
0003167507.tif 000004
【図３】
0003167507.tif 000005
【図４】
0003167507.tif 000006
【図５】
0003167507.tif 000007
【図６】
0003167507.tif 000008
【図７】
0003167507.tif 000009